(57)【要約】  病気の予測診断需要者に信頼性が高い診断結果を報知する。  本発明は、所定の症状と関係するか否かが判断されていない未判断ヘルスケアデータが新たに取得された場合、医師によって当該所定の症状と関係するか否かが判断された既判断ヘルスケアデータに基づいて、当該未判断ヘルスケアデータと当該所定の症状との関係性を評価する関係性評価部と、関係性評価部によって評価された関係性に応じて、未判断ヘルスケアデータを病気の予測診断需要者に報知するデータ報知部とを備えている。
2016006042.tif 000002
【特許請求の範囲】
【請求項１】
構造化ヘルスケアデータ及び／又は非構造化ヘルスケアデータから取得された複数のヘルスケアデータから所定の症状と関係するヘルスケアデータを抽出し、病気の予測診断が可能なデータ分析装置であって、
前記所定の症状と関係するか否かが判断されていない未判断ヘルスケアデータが新たに取得された場合、医師によって当該所定の症状と関係するか否かが判断された既判断ヘルスケアデータに基づいて、当該未判断ヘルスケアデータと当該所定の症状との関係性を評価する関係性評価部と、
前記関係性評価部によって評価された関係性に応じて、前記未判断ヘルスケアデータを病気の予測診断需要者に報知するデータ報知部とを備えたデータ分析装置。
【請求項２】
所定のヘルスケアデータと前記所定の症状との関係性の強さを示すスコアを算出するスコア算出部をさらに備え、
前記関係性評価部は、前記未判断ヘルスケアデータと前記所定の症状との関係性を示す指標として、前記スコア算出部によって算出されたスコアを用いて、当該未判断ヘルスケアデータと当該所定の症状とが関係するか否かを評価し、
前記データ報知部は、前記関係性評価部によって前記未判断ヘルスケアデータと前記所定の症状とが関係すると評価された場合、当該未判断ヘルスケアデータを前記病気の予測診断需要者に報知することを特徴とする請求項１に記載のデータ分析装置。
【請求項３】
前記既判断ヘルスケアデータに含まれるデータ要素を、所定の基準に基づいてそれぞれ評価する要素評価部をさらに備え、
前記スコア算出部は、前記要素評価部によって評価された結果を用いて、前記スコアを算出することを特徴とする請求項２に記載のデータ分析装置。
【請求項４】
前記要素評価部によって評価された結果を用いて、前記既判断ヘルスケアデータと前記所定の症状との関係性を示す指標として、前記スコア算出部によって算出されたスコアのうち、適合率に対して設定された目標値を超過可能なスコアを、所定の閾値として特定する閾値特定部をさらに備えたことを特徴とする請求項３に記載のデータ分析装置。
【請求項５】
時系列に沿って取得された複数の既判断ヘルスケアデータに対してそれぞれ算出されたスコアの移動平均と、時系列に沿って取得される複数の未判断ヘルスケアデータに対してそれぞれ算出されるスコアの移動平均との相関の高低を判定する条件判定部をさらに備え、
前記関係性評価部は、前記条件判定部によって判定された結果に基づいて、前記未判断ヘルスケアデータと前記所定の症状との関係性を評価することを特徴とする請求項２から４のいずれか一項に記載のデータ分析装置。
【請求項６】
所定のヘルスケアデータが前記所定の症状と関係するか否かが前記医師によって判断された結果を、所定の入力部を介して当該医師から取得することによって、前記既判断ヘルスケアデータを取得する既判断データ取得部をさらに備えたことを特徴とする請求項１から５のいずれか一項に記載のデータ分析装置。
【請求項７】
前記関係性評価部によって評価された結果に基づいて、前記未判断ヘルスケアデータが前記所定の症状と関係することを示す関係性情報を付与する関係付与部をさらに備えたことを特徴とする請求項１から６のいずれか一項に記載のデータ分析装置。
【請求項８】
遺伝子解析データ、健康診断データのうちの少なくとも１つを含む構造化ヘルスケアデータ、及び／又は、問診データ、生活データ、患者の臨床データ、家族の病歴のうちの少なくとも１つを含む非構造化ヘルスケアデータを、前記ヘルスケアデータとして取得するデータ取得部をさらに備えたことを特徴とする請求項１から７のいずれか一項に記載のデータ分析装置。
【請求項９】
前記所定の症状は、不良な健康状態であることを特徴とする請求項１から８のいずれか一項に記載のデータ分析装置。
【請求項１０】
構造化ヘルスケアデータ及び／又は非構造化ヘルスケアデータから取得された複数のヘルスケアデータから所定の症状と関係するヘルスケアデータを抽出し、病気の予測診断が可能なデータ分析装置の制御方法であって、
前記所定の症状と関係するか否かが判断されていない未判断ヘルスケアデータが新たに取得された場合、医師によって当該所定の症状と関係するか否かが判断された既判断ヘルスケアデータに基づいて、当該未判断ヘルスケアデータと当該所定の症状との関係性を評価する関係性評価ステップと、
前記関係性評価ステップにおいて評価した関係性に応じて、前記未判断ヘルスケアデータを病気の予測診断需要者に報知するデータ報知ステップとを含むデータ分析装置の制御方法。
【請求項１１】
構造化ヘルスケアデータ及び／又は非構造化ヘルスケアデータから取得された複数のヘルスケアデータから、所定の症状と関係するヘルスケアデータを抽出し、病気の予測診断が可能なデータ分析装置の制御プログラムであって、
前記データ分析装置に、
前記所定の症状と関係するか否かが判断されていない未判断ヘルスケアデータが新たに取得された場合、医師によって当該所定の症状と関係するか否かが判断された既判断ヘルスケアデータに基づいて、当該未判断ヘルスケアデータと当該所定の症状との関係性を評価する関係性評価機能と、
前記関係性評価機能によって評価された関係性に応じて、前記未判断ヘルスケアデータを病気の予測診断需要者に報知するデータ報知機能とを実現させるデータ分析装置の制御プログラム。
【発明の詳細な説明】
【技術分野】
【０００１】
構造化ヘルスケアデータ及び／又は非構造化ヘルスケアデータから取得された複数のヘルスケアデータから所定の症状と関係するヘルスケアデータを抽出し、病気の予測診断が可能なデータ分析装置等に関するものである。
【背景技術】
【０００２】
医療現場では、ＣＴ、ＭＲＩ、ＰＥＴ等のモダリティで取得された画像情報の他、心電図や脳波等の波形情報、血圧、体温等の数値情報、各種検査報告、カルテ等の文字情報等、多種多様な医療情報が発生している。【０００３】
また、現在、健康に対する個人の認識が高まるに連れて、病気を自覚してから医療機関に出向くよりも、病気を予防しようとする意識や、病気を早期に発見して早期に治療しようとする意識が強まっている。【０００４】
多種多様な医療情報が存在する中にあって、個人の病気の予防や早期発見・治療の意識の強まりにともなって、信頼性が高い診断結果が早急に得られる手段が求められている。【０００５】
特許文献１及び２においては、ユーザが所望する医療情報を、タッチパネル等の直観的なユーザインターフェースを用いて、より直観的な操作で、より容易に取得可能にする医療情報表示装置等が開示されている。
【先行技術文献】
【特許文献】
【０００６】
【特許文献１】特開２０１２−４８６０２号公報
【特許文献２】再表２０１２−２９２６５号公報
【発明の概要】
【発明が解決しようとする課題】
【０００７】
しかしながら、特許文献１及び２に開示された装置は、所望の医療情報を適切に絞り込むためのものではあるが、当該医療情報に基づいて、総合的に分析・解析し、診断結果を予測し、病気の予測診断需要者に報知できるものではない。【０００８】
本発明は、上記の問題点に鑑みてなされたものであり、その目的は、構造化ヘルスケアデータ及び／又は非構造化ヘルスケアデータから取得された複数のヘルスケアデータから所定の症状と関係するヘルスケアデータを抽出することによって、病気の予測診断需要者に信頼性が高い診断結果を報知できるデータ分析装置等を提供することである。
【課題を解決するための手段】
【０００９】
上記課題を解決するために、本発明の一態様に係るデータ分析装置は、構造化ヘルスケアデータ及び／又は非構造化ヘルスケアデータから取得された複数のヘルスケアデータから所定の症状と関係するヘルスケアデータを抽出し、病気の予測診断が可能なデータ分析装置であって、前記所定の症状と関係するか否かが判断されていない未判断ヘルスケアデータが新たに取得された場合、医師によって当該所定の症状と関係するか否かが判断された既判断ヘルスケアデータに基づいて、当該未判断ヘルスケアデータと当該所定の症状との関係性を評価する関係性評価部と、前記関係性評価部によって評価された関係性に応じて、前記未判断ヘルスケアデータを病気の予測診断需要者に報知するデータ報知部とを備えている。【００１０】
また、本発明の一態様に係るデータ分析装置は、所定のヘルスケアデータと所定の症状との関係性の強さを示すスコアを算出するスコア算出部をさらに備え、関係性評価部は、未判断ヘルスケアデータと所定の症状との関係性を示す指標として、スコア算出部によって算出されたスコアを用いて、当該未判断ヘルスケアデータと当該所定の症状とが関係するか否かを評価し、データ報知部は、関係性評価部によって未判断ヘルスケアデータと所定の症状とが関係すると評価された場合、当該未判断ヘルスケアデータを病気の予測診断需要者に報知することができる。【００１１】
また、本発明の一態様に係るデータ分析装置は、既判断ヘルスケアデータに含まれるデータ要素を、所定の基準に基づいてそれぞれ評価する要素評価部をさらに備え、スコア算出部は、要素評価部によって評価された結果を用いて、スコアを算出することができる。【００１２】
また、本発明の一態様に係るデータ分析装置は、要素評価部によって評価された結果を用いて、既判断ヘルスケアデータと所定の症状との関係性を示す指標として、スコア算出部によって算出されたスコアのうち、適合率に対して設定された目標値を超過可能なスコアを、所定の閾値として特定する閾値特定部をさらに備えてよい。【００１３】
また、本発明の一態様に係るデータ分析装置は、時系列に沿って取得された複数の既判断ヘルスケアデータに対してそれぞれ算出されたスコアの移動平均と、時系列に沿って取得される複数の未判断ヘルスケアデータに対してそれぞれ算出されるスコアの移動平均との相関の高低を判定する条件判定部をさらに備え、関係性評価部は、条件判定部によって判定された結果に基づいて、未判断ヘルスケアデータと所定の症状との関係性を評価することができる。【００１４】
また、本発明の一態様に係るデータ分析装置は、所定のヘルスケアデータが所定の症状と関係するか否かが医師によって判断された結果を、所定の入力部を介して当該医師から取得することによって、既判断ヘルスケアデータを取得する既判断データ取得部をさらに備えることができる。【００１５】
また、本発明の一態様に係るデータ分析装置は、関係性評価部によって評価された結果に基づいて、未判断ヘルスケアデータが所定の症状と関係することを示す関係性情報を付与する関係付与部をさらに備えることができる。【００１６】
また、本発明の一態様に係るデータ分析装置は、遺伝子解析データ、健康診断データ、のうちの少なくとも１つを含む構造化ヘルスケアデータ、及び／又は、問診データ、生活データ、既往歴、家族の病歴のうちの少なくとも１つを含む非構造化ヘルスケアデータを、ヘルスケアデータとして取得するデータ取得部をさらに備えることができる。【００１７】
また、本発明の一態様に係るデータ分析装置において、所定の症状は、不良な健康状態であってよい。【００１８】
上記課題を解決するために、本発明の一態様に係るデータ分析装置の制御方法は、構造化ヘルスケアデータ及び／又は非構造化ヘルスケアデータから取得された複数のヘルスケアデータから所定の症状と関係するヘルスケアデータを抽出し、病気の予測診断が可能なデータ分析装置の制御方法であって、所定の症状と関係するか否かが判断されていない未判断ヘルスケアデータが新たに取得された場合、医師によって当該所定の症状と関係するか否かが判断された既判断ヘルスケアデータに基づいて、当該未判断ヘルスケアデータと当該所定の症状との関係性を評価する関係性評価ステップと、関係性評価ステップにおいて評価した関係性に応じて、未判断ヘルスケアデータを病気の予測診断需要者に報知するデータ報知ステップとを含んでいる。【００１９】
上記課題を解決するために、本発明の一態様に係るデータ分析装置の制御プログラムは、構造化ヘルスケアデータ及び／又は非構造化ヘルスケアデータから取得された複数のヘルスケアデータから、所定の症状と関係するヘルスケアデータを抽出し、病気の予測診断が可能なデータ分析装置の制御プログラムであって、データ分析装置に、所定の症状と関係するか否かが判断されていない未判断ヘルスケアデータが新たに取得された場合、医師によって当該所定の症状と関係するか否かが判断された既判断ヘルスケアデータに基づいて、当該未判断ヘルスケアデータと当該所定の症状との関係性を評価する関係性評価機能と、関係性評価機能によって評価された関係性に応じて、未判断ヘルスケアデータを病気の予測診断需要者に報知するデータ報知機能とを実現させる。
【発明の効果】
【００２０】
本発明の一態様に係るデータ分析装置、データ分析装置の制御方法、およびデータ分析装置の制御プログラムは、所定の症状と関係するか否かが判断されていない未判断ヘルスケアデータが新たに取得された場合、医師によって当該所定の症状と関係するか否かが判断された既判断ヘルスケアデータに基づいて、当該未判断ヘルスケアデータと当該所定の症状との関係性を評価し、当該関係性に応じて、未判断ヘルスケアデータを総合的に分析して、病気の予測診断需要者に報知する。【００２１】
したがって、上記データ分析装置等は、病気の予測診断需要者に信頼性が高い診断結果を報知できるという効果を奏する。
【図面の簡単な説明】
【００２２】
【図１】本発明の実施の形態に係るデータ分析装置の要部構成を示すブロック図である。
【図２】上記データ分析装置の概要を示す模式図である。
【図３】上記データ分析装置が実行する処理の一例を示す詳細なフローチャートである。
【発明を実施するための形態】
【００２３】
図１〜図３に基づいて、本発明の実施の形態を説明する。
【００２４】
〔データ分析装置１００の概要〕
図２は、データ分析装置１００の概要を示す模式図である。データ分析装置１００は、構造化ヘルスケアデータ及び／又は非構造化ヘルスケアデータから取得された複数のヘルスケアデータから所定の症状と関係するヘルスケアデータを抽出可能な装置である。上記データ分析装置１００は、以下で説明する処理を実行可能な機器でありさえすればよく、例えば、パーソナルコンピュータ、スマートフォン、その他の電子機器などを用いて実現され得る。
【００２５】
図２に示されるように、データ分析装置１００は、例えば、不健康に至る可能性が高い状況を示す画像情報（データ１ｂ）を、所定の症状と関係するか否かが判断されていない未判断ヘルスケアデータとして取得する。ここで、上記「所定の症状」は、医師によって、不健康な状態（人間の心や体に不調または不都合が生じた状態）であると診断された症状、疾病、疾患、症候群などを広く含む。
【００２６】
データ分析装置１００は、所定の症状と関係するか否かが判断されていない未判断ヘルスケアデータが新たに取得された場合、医師（例えば、経験豊富な医師）によって当該所定の症状と関係するか否かが判断された既判断ヘルスケアデータに基づいて、当該未判断ヘルスケアデータと当該所定の症状との関係性を評価する。具体的には、データ分析装置１００は、データ１ｂ（例えば、不健康に至る可能性が高い状況を示す画像情報）からデータ要素２を抽出し、既判断ヘルスケアデータを用いてそれぞれ評価された当該データ要素２から、当該データ１ｂのスコア５ｅを算出する。そして、データ分析装置１００は、算出されたスコア５ｅが所定の条件を満たす（例えば、当該スコア５ｅが所定の閾値を超過している）場合、当該データ１ｂを病気の予測診断需要者（例えば、患者、経験が乏しい医師）に報知する。
【００２７】
すなわち、データ分析装置１００は、所定の症状と関係するか否かが医師によって判断された結果に基づいて、新たな未判断ヘルスケアデータを病気の予測診断需要者に報知するか否かを判断できる。例えば、データ分析装置１００は、経験豊富な医師が、ヒヤリハットを経験（医師の診断が医療ミスには至らなかったが、医療ミスにつながってもおかしくなかった経験）した場合、当該ヒヤリハットの状況（所定の症状）と当該状況を示す外部画像との関連性を学習し、経験が乏しい医師が同様の状況に遭遇したことによって、類似の外部画像が取得された場合に、当該類似の外部画像を経験が乏しい医師に報知できる。
【００２８】
したがって、データ分析装置１００は、病気の予測診断需要者に信頼性が高い診断結果を報知できるという効果を奏する。
【００２９】
〔データ分析装置１００の構成〕
図１は、データ分析装置１００の要部構成を示すブロック図である。図１に示されるように、データ分析装置１００は、制御部１０（データ取得部１１、既判断データ取得部１２、要素評価部１３、スコア算出部１４、条件判定部１５、関係性評価部１６、関係付与部１７、データ報知部１８、閾値特定部１９、格納部２０）、入力部４０、および記憶部３０を備えている。
【００３０】
制御部１０は、データ分析装置１００が有する各種の機能を統括的に制御する。制御部１０は、データ取得部１１、既判断データ取得部１２、要素評価部１３、スコア算出部１４、条件判定部１５、関係性評価部１６、関係付与部１７、データ報知部１８、閾値特定部１９、および格納部２０を含む。
【００３１】
データ取得部１１は、構造化ヘルスケアデータ及び／又は非構造化ヘルスケアデータからヘルスケアデータ１を取得する。データ取得部１１は、例えば、遺伝子解析データ、健康診断データ（例えば、身長、体重、血圧、血液の状態等）のうちの少なくとも１つ、好ましくは２つ以上を含む構造化ヘルスケアデータ、及び／又は、問診データ（例えば、吐き気や目眩がする、１週間程前から症状が出ている、左を向いて寝ると痛みが和らぐ、患部がヒリヒリする等）、生活データ（例えば、タバコを吸う、酒を毎日飲む、運動は週１する等）、患者の臨床データ（例えば、妊娠中、糖尿病を患っている等）、家族の病歴（例えば、父が脳梗塞、母が癌等）のうちの少なくとも１つ、好ましくは２つ以上をヘルスケアデータ１として取得できる。
【００３２】
データ取得部１１は、取得したヘルスケアデータ１のうち、所定の症状と関係するか否かが医師によって判断されるべきデータ１ａを、既判断データ取得部１２および要素評価部１３に出力し、他のデータ１ｂ（未判断ヘルスケアデータ）をスコア算出部１４に出力する。
【００３３】
既判断データ取得部１２は、データ１ａが所定の症状と関係するか否かが医師によって判断された結果（レビュー結果５ａ）を、入力部４０を介して当該医師から取得することによって、既判断ヘルスケアデータ（データ１ａとレビュー結果５ａとのペア）を取得する。具体的には、既判断データ取得部１２は、入力部４０から取得された入力情報５ｂに基づいて、データ取得部１１から入力されたデータ１ａに対応するレビュー結果５ａを取得する。そして、既判断データ取得部１２は、当該レビュー結果５ａを要素評価部１３および閾値特定部１９に出力する。
【００３４】
なお、レビュー結果５ａをデータ分析装置１００に与える医師と、当該データ分析装置１００からレビュー結果を受け取る（すなわち、当該データ分析装置１００からデータ１ｂを報知される）医師とは、同じ医師であってもよいし、異なる医師であってもよい。後者の場合、例えば、経験豊富な医師の経験・判断基準をデータ分析装置１００が学習し、当該学習結果に基づいて、データ１ｂを経験が乏しい医師に報知することができる。すなわち、データ分析装置１００は、経験豊富な医師の経験を経験が乏しい医師に生かすことができる。
【００３５】
要素評価部１３は、既判断ヘルスケアデータに含まれるデータ要素を、所定の基準に基づいてそれぞれ評価する。具体的には、データ１ａが各種検査報告、カルテ等の手書きの文字情報であった場合、要素評価部１３は、当該文字情報を文書データに変換する。データ１ａが問診時の音声情報であった場合、要素評価部１３は、当該問診時の音声情報を認識することによって当該問診時の音声情報を文字（文書データ）に変換する。そして、要素評価部１３は、当該文書データに含まれるキーワード（データ要素）と当該キーワードを含むデータ１ａ（問診時の音声情報、又は各種検査報告、カルテ等の文字情報）に対して医師が判断した結果（レビュー結果５ａ）との依存関係を表す伝達情報量を、上記所定の基準の１つとして当該キーワードの重みを算出することによって、当該キーワードを評価することができる。なお、要素評価部１３は、任意の音声認識アルゴリズム（例えば、隠れマルコフモデル、カルマンフィルタ、ニューラルネットワークなど）を用いて、上記問診時の音声情報を認識してよい。
【００３６】
または、データ１ａが画像情報であった場合、要素評価部１３は、任意の画像認識技術（例えば、パターンマッチング、ベイズ推定、マルコフ連鎖モンテカルロなどの技術）を用いることにより、当該画像情報に含まれるオブジェクトを、データ要素として特定できる。そして、要素評価部１３は、当該画像情報に含まれるオブジェクト（データ要素）と当該オブジェクトを含むデータ１ａ（画像情報）に対して医師が判断した結果（レビュー結果５ａ）との依存関係を表す伝達情報量を、上記所定の基準の１つとして当該オブジェクトの重みを算出することにより、当該オブジェクトを評価できる。要素評価部１３は、上記データ要素と当該データ要素の重みとのペアである要素情報５ｃを、スコア算出部１４および格納部２０に出力する。
【００３７】
スコア算出部１４は、要素評価部１３によって評価された結果（要素情報５ｃ）を用いて、データ１ａと所定の症状との関係性の強さを示すスコア５ｄを算出する。スコア算出部１４は、算出したスコア５ｄを閾値特定部１９に出力する。また、データ取得部１１からデータ１ｂ（未判断ヘルスケアデータ）が入力された場合、スコア算出部１４は、当該データ１ｂについてスコア５ｅを算出し、当該算出したスコア５ｅを条件判定部１５に出力する。
【００３８】
スコア算出部１４は、ヘルスケアデータ１（データ１ａまたはデータ１ｂ）に含まれるデータ要素の重みを合算することによって、当該ヘルスケアデータ１のスコア（スコア５ｄまたはスコア５ｅ）を算出できる。例えば、ヘルスケアデータ１が、診察室内での問診時において録音された、「どのような症状がありますか？」「１週間ほど前から、吐き気があります。」という問診時の対話音声情報である場合を考える。この場合、「１週間ほど前」および「吐き気」というデータ要素が要素評価部１３によってそれぞれ評価された結果、「１.２」および「２.２」という重みが設定された場合、スコア算出部１４は、当該データ１のスコアを「３.４」（１.２＋２.２）と計算できる。
【００３９】
具体的には、スコア算出部１４は、所定のデータ要素がヘルスケアデータ１に含まれるか否かを示す要素ベクトルを生成する。上記要素ベクトルは、当該要素ベクトルのそれぞれの要素が「０」または「１」の値をとることによって、当該要素に対応付けられた所定のデータ要素が、上記ヘルスケアデータ１に含まれるか否かを示すベクトルである。例えば、上記ヘルスケアデータ１に「１週間ほど前」というデータ要素が含まれている場合、スコア算出部１４は、上記要素ベクトルの上記「１週間ほど前」に対応する要素を「０」から「１」に変更する。そして、スコア算出部１４は、以下の式のように、上記要素ベクトル（縦ベクトル）と重みベクトル（各データ要素に対する重みを要素にした縦ベクトル）との内積を計算することにより、上記データ１のスコアＳを計算する。
【００４０】
【数１】
2016006042.tif 000003
ここで、ｓは要素ベクトルを表し、Ｗは重みベクトルを表す。なお、Ｔは行列・ベクトルを転置する（行と列とを入れ替える）ことを表す。
【００４１】
または、スコア算出部１４は、以下の式にしたがってスコアＳを算出してもよい。
【００４２】
【数２】
2016006042.tif 000004
ここで、ｍｊは、ｊ番目のデータ要素の出現頻度を表し、ｗｉは、ｉ番目のデータ要素の重みを表す。
【００４３】
なお、スコア算出部１４は、データ１ａおよび／またはデータ１ｂに含まれる第１データ要素が評価された結果（第１データ要素の重み）と、当該データ１ａおよび／またはデータ１ｂに含まれる第２データ要素が評価された結果（第２データ要素の重み）とに基づいて、スコア５ｄおよび／またはスコア５ｅを算出してよい。すなわち、スコア算出部１４は、第１データ要素がデータに出現した場合、当該データにおいて第２データ要素が出現する頻度（すなわち、第１データ要素と第２データ要素との相関、共起ともいう）を考慮して、データのスコアを計算できる。これにより、データ分析装置１００は、データ要素間の相関関係を考慮してスコアを算出できるため、より高い精度で所定の症状と関係するデータを抽出できる。
【００４４】
条件判定部１５は、スコア算出部１４によって算出されたスコア５ｅに基づいて、データ１ｂが、当該データ１ｂを病気の予測診断需要者に報知するための所定の条件を満たしているか否かを判定する。例えば、条件判定部１５は、スコア５ｅと適合閾値（所定の閾値）６とを比較することにより、当該スコア５ｅが当該適合閾値６を超過しているか否かを、上記所定の条件の１つとして判定してよい。
【００４５】
または、条件判定部１５は、時系列に沿って取得される複数のデータ１ａに対してそれぞれ算出されたスコア５ｄの移動平均と、時系列に沿って取得される複数のデータ１ｂに対してそれぞれ算出されるスコア５ｅの移動平均との相関が高まったか否かを、上記所定の条件の１つとして判定してもよい。例えば、上記複数のデータ１ａが、ヒヤリハットを経験した状況（医師の診断が医療ミスには至らなかったが、医療ミスにつながってもおかしくなかった状況）であったことを示すレビュー結果５ａが経験豊富な医師から得られたデータである場合、条件判定部１５は、上記複数のデータ１ａに対してそれぞれ算出されたスコア５ｄの移動平均を所定のパターンとして抽出する。
【００４６】
そして、条件判定部１５は、上記所定のパターンと上記スコア５ｅの移動平均との相関を算出する。言い換えれば、条件判定部１５は、経過時間および／またはスコアをずらしながら、両者の一致度（相関）を計算する。当該相関が高くなる場合、条件判定部１５は、今回のスコア５ｅは将来において、上記所定のパターンに連動するように、同様の値をとる（すなわち、同様のヒヤリハットが起こる可能性が高い）と判定する。
【００４７】
または、条件判定部１５は、データ取得部１１によって過去に取得された第３者の生体情報（データ１ａ）の変移と、病気の予測診断需要者（例えば、患者）の生体情報（データ１ｂ）の変移との相関が高まったか否かを、上記所定の条件の１つとして判定してもよい。例えば、上記生体情報（データ１ａ）が、ヒヤリハットを経験した状況であったことを示すレビュー結果５ａが経験豊富な医師から得られたデータである場合、条件判定部１５は、両生体情報の変移について相関を算出し、当該相関が高くなる場合、今回の生体情報は将来において、過去の生体情報に連動するように、同様の値をとる（すなわち、同様のヒヤリハットが起こる可能性が高い）と判定する。条件判定部１５は、判定した結果（判定結果５ｆ）を関係性評価部１６に出力する。
【００４８】
関係性評価部１６は、所定の症状と関係するか否かが判断されていない未判断ヘルスケアデータ（データ１ｂ）が新たに取得された場合、医師によって当該所定の症状と関係するか否かが判断された既判断ヘルスケアデータ（データ１ａとレビュー結果５ａとのペア）に基づいて、当該未判断ヘルスケアデータと当該所定の症状との関係性を評価する。例えば、未判断ヘルスケアデータ（データ１ｂ）と所定の症状との関係性を示す指標として、スコア算出部１４によって算出されたスコア５ｅが閾値６を超過している場合（すなわち、条件判定部１５によって超過していると判定された場合）、当該未判断ヘルスケアデータと当該所定の症状とが関係していると評価する。関係性評価部１６は、評価した結果（評価結果５ｇ）を関係付与部１７に出力する。
【００４９】
関係付与部１７は、関係性評価部１６によって評価された結果（評価結果５ｇ）に基づいて、未判断ヘルスケアデータ（データ１ｂ）が所定の症状と関係することを示す関係性情報５ｈを付与し、当該関係性情報５ｈをデータ報知部１８に出力する。
【００５０】
データ報知部１８は、関係性評価部１６によって評価された関係性に応じて、未判断ヘルスケアデータ（データ１ｂ）を病気の予測診断需要者に報知する。具体的には、データ報知部１８は、所定の症状と関係することを示す関係性情報５ｈが、関係付与部１７によって付与されたデータ１ｂを、上記病気の予測診断需要者に報知する。
【００５１】
閾値特定部１９は、所定の症状に関係すると判断されたデータ１ａが、所定数のデータを含むデータ群に占める割合を示す適合率に対して設定された目標値（目標適合率）を超過可能な最小のスコアを、適合閾値６として特定する。具体的には、スコア算出部１４からスコア５ｄが入力された場合、閾値特定部１９は、当該スコア５ｄを降順に並べ替える。次に、閾値特定部１９は、最大のスコア５ｄ（スコアのランクが１位）を有するデータ１ａから順番に当該データ１ａに付与されたレビュー結果５ａを走査し、「所定の症状と関係する」というレビュー結果５ａが付与されたデータの数が、現時点において走査が終了したデータの数に占める割合（適合率）を、順次計算する。
【００５２】
例えば、レビュー結果５ａが付与されたデータ１ａの数が１００である場合に、スコアのランクが１位から２０位までのデータについて走査を終了したところ、「所定の症状と関係する」というレビュー結果５ａが付与されたデータの数が１８であった場合、閾値特定部１９は、適合率を０.９（１８／２０）と計算する。または、スコアのランクが１位から４０位までのデータについて走査を終了したところ、「所定の症状と関係する」というレビュー結果５ａが付与されたデータの数が３５であった場合、閾値特定部１９は、適合率を０.８７５（３５／４０）と計算する。
【００５３】
閾値特定部１９は、データ１ａに対する適合率をすべて計算し、目標適合率を超過可能な最小のスコアを特定する。具体的には、閾値特定部１９は、最小のスコア５ｄ（スコアのランクが１００位）を有するデータ１ａから順番に当該データ１ａに対して計算された適合率を走査し、当該適合率が目標適合率を超過した場合、当該適合率に対応するスコアを、上記目標適合率を維持可能な最小スコア（適合閾値６）として条件判定部１５および格納部２０に出力する。
【００５４】
格納部２０は、要素評価部１３から要素情報５ｃが入力された場合、当該要素情報５ｃに含まれるデータ要素と、当該データ要素が評価された結果（重み）とを対応付けて、記憶部３０に格納する。これにより、データ分析装置１００は、過去のデータを分析した結果（データ要素が評価された結果としての重み）に基づいて現在のデータを分析することによって、所定の症状と関係するデータを抽出できる。また、格納部２０は、閾値特定部１９から適合閾値６が入力された場合、当該適合閾値６を記憶部３０に格納する。
【００５５】
入力部（所定の入力部）４０は、医師から入力を受け付ける。図１は、データ分析装置１００が入力部４０を備えた構成（例えば、入力部４０としてキーボード、マウスなどが接続された構成）を示すが、当該入力部４０は、当該データ分析装置１００と通信可能に接続された外部の入力装置（例えば、クライアント端末）であってもよい。
【００５６】
記憶部（所定の記憶部）３０は、例えば、ハードディスク、ＳＳＤ（silicon state drive）、半導体メモリ、ＤＶＤなど、任意の記録媒体によって構成される記憶機器であり、要素情報５ｃ、適合閾値６、および／またはデータ分析装置１００を制御可能な制御プログラムを記憶する。なお、図１は、データ分析装置１００が記憶部３０を内蔵する構成を示すが、当該記憶部３０は、当該データ分析装置１００と通信可能に接続された外部の記憶装置であってもよい。
【００５７】
〔重みの再計算〕
所定の症状と関係するとデータ分析装置１００によって判断されたデータ１ｂが、データ報知部１８によって病気の予測診断需要者に報知された後、既判断データ取得部１２は、当該判断に対するフィードバックを医師から受け付けることができる。すなわち、医師は、データ分析装置１００によって判断された結果が妥当であるか否かを、上記フィードバックとしてそれぞれ入力できる。
【００５８】
要素評価部１３は、上記フィードバックに基づいて各データ要素を再評価できる。具体的には、要素評価部１３は、以下の式にしたがって各データ要素の重みを算出する。
【００５９】
【数３】
2016006042.tif 000005
ここで、ｗｉ,ＬはＬ回目学習後のｉ番目のデータ要素の重みを表し、γＬはＬ回目学習における学
習パラメータを表し、θは学習効果の閾値を表す。
【００６０】
すなわち、要素評価部１３は、データ分析装置１００の判断に対して新たに得られたフィードバックに基づいて重みを再計算できる。これにより、データ分析装置１００は、分析の対象とするデータに適合した重みを獲得し、当該重みに基づいて正確にスコアを算出できるため、より高い精度で所定の症状と関係するデータを抽出できる。
【００６１】
〔データ分析装置１００が実行する処理〕
データ分析装置１００が実行する処理（データ分析装置１００の制御方法）は、所定の症状と関係するか否かが判断されていない未判断ヘルスケアデータ（データ１ｂ）が新たに取得された場合、医師によって当該所定の症状と関係するか否かが判断された既判断ヘルスケアデータ（データ１ａとレビュー結果５ａとのペア）に基づいて、当該未判断ヘルスケアデータと当該所定の症状との関係性を評価する関係性評価ステップと、関係性評価ステップにおいて評価した関係性に応じて、未判断ヘルスケアデータを病気の予測診断需要者に報知するデータ報知ステップとを含んでいる。
【００６２】
図３は、データ分析装置１００が実行する処理の一例を示す詳細なフローチャートである。なお、以下の説明において、カッコ書きの「〜ステップ」は、上記データ分析装置の制御方法に含まれる各ステップを表す。
【００６３】
データ取得部１１は、所定の症状と関係するか否かが医師によって判断されるべきデータ１ａを、（例えば、外部画像を撮影するカメラ、問診時の音声を録音するマイクなどから）取得する（ステップ１、以下「ステップ」を「Ｓ」と略記する）。次に、既判断データ取得部１２は、データ１ａが所定の症状と関係するか否かについて医師が判断した結果（レビュー結果５ａ）を、入力部４０を介して取得する（Ｓ２）。次に、要素評価部１３は、上記所定の症状と関係するか否かが医師によって判断されたデータに含まれるデータ要素を、所定の基準に基づいてそれぞれ評価する（Ｓ３）。そして、スコア算出部１４は、要素評価部１３によって評価された結果（要素情報５ｃ）に基づいて、上記所定の症状との関係性の強さを示すスコア５ｄをデータ１ａについてそれぞれ算出し（Ｓ４）、閾値特定部１９は、上記所定の症状に関係すると判断されたデータ１ａが、所定数のデータを含むデータ群に占める割合を示す適合率に対して設定された目標値（目標適合率）を超過可能な最小のスコアを、適合閾値６として特定する（Ｓ５）。
【００６４】
次に、スコア算出部１４は、要素評価部１３によって評価された結果（要素情報５ｃ）に基づいて、上記所定の症状との関係性の強さを示すスコア５ｅをデータ１ｂについてそれぞれ算出する（Ｓ６）。条件判定部１５は、要素評価部１３によって評価された結果（要素情報５ｃ）に基づいて、上記所定の症状と関係するか否かが未だ判断されていないデータ１ｂについて算出されたスコア５ｅが、適合閾値６を超過しているか否かを判定し（Ｓ７）、超過していると判定される場合（Ｓ７においてＹＥＳ）、関係性評価部１６は、データ１ｂが上記所定の症状と関係していると評価する（Ｓ８、関係性評価ステップ）。
【００６５】
関係付与部１７は、関係性評価部１６によって評価されたデータ１ｂに、当該データ１ｂが上記所定の症状と関係することを示す関係性情報（文書分析システム１００によるレビュー結果）を付与する（Ｓ９）。最後に、データ報知部１８は、当該データ１ｂを病気の予測診断需要者に報知する（Ｓ１０、データ報知ステップ）。
【００６６】
なお、上記制御方法は、図２を参照して前述した上記処理だけでなく、制御部１０に含まれる各部において実行される処理を任意に含んでよい。
【００６７】
〔データ分析装置１００が奏する効果〕
以上のように、データ分析装置１００は、所定の症状と関係するか否かが判断されていない未判断ヘルスケアデータが新たに取得された場合、医師によって当該所定の症状と関係するか否かが判断された既判断ヘルスケアデータに基づいて、当該未判断ヘルスケアデータと当該所定の症状との関係性を評価し、当該関係性に応じて、未判断ヘルスケアデータを病気の予測診断需要者に報知する。
【００６８】
したがって、データ分析装置１００は、病気の予測診断需要者に信頼性が高い診断結果を報知できるという効果を奏する。
【００６９】
〔サーバ装置が機能の一部または全部を提供する構成〕
以上では、構造化ヘルスケアデータ及び／又は非構造化ヘルスケアデータから取得された複数のヘルスケアデータから所定の症状と関係するヘルスケアデータを抽出可能なデータ分析装置の制御プログラムが、当該データ分析装置１００において実行される構成（スタンドアロン構成）を説明した。
【００７０】
一方、上記制御プログラムの一部または全部がサーバ装置において実行され、当該実行された処理の結果が上記データ分析装置１００（ユーザ端末）に返される構成（クラウド構成）であってもよい。すなわち、本発明のデータ分析装置は、ユーザ端末とネットワークを介して通信可能に接続されたサーバ装置として機能することができる。これにより、サーバ装置は、上記データ分析装置１００が機能を提供する場合に、当該データ分析装置１００が奏する効果と同じ効果を奏する。
【００７１】
〔ソフトウェアによる実現例〕
データ分析装置１００の制御ブロック（特に、制御部１０）は、集積回路（ＩＣチップ）等に形成された論理回路（ハードウェア）によって実現してもよいし、ＣＰＵ（Central Processing Unit）を用いてソフトウェアによって実現してもよい。後者の場合、データ分析装置１００は、各機能を実現するソフトウェアであるデータ分析装置１００の制御プログラムの命令を実行するＣＰＵ、上記制御プログラムおよび各種データがコンピュータ（またはＣＰＵ）で読み取り可能に記録されたＲＯＭ（Read Only Memory）または記憶装置（これらを「記録媒体」と称する）、上記制御プログラムを展開するＲＡＭ（Random Access Memory）などを備えている。そして、コンピュータ（またはＣＰＵ）が上記制御プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記制御プログラムは、当該制御プログラムを伝送可能な任意の伝送媒体（通信ネットワークや放送波等）を介して上記コンピュータに供給されてもよい。本発明は、上記制御プログラムが電子的な伝送によって具現化された、搬送波に埋め込まれたデータ信号の形態でも実現され得る。
【００７２】
具体的には、本発明の実施の形態に係るデータ分析装置の制御プログラムは、構造化ヘルスケアデータ及び／又は非構造化ヘルスケアデータから取得された複数のヘルスケアデータから所定の症状と関係するヘルスケアデータを抽出可能なデータ分析装置の制御プログラムであって、上記データ分析装置に、関係性評価機能、およびデータ報知機能を実現させる。上記関係性評価機能、およびデータ報知機能は、上述した関係性評価部１６、およびデータ報知部１８によってそれぞれ実現され得る。詳細については上述した通りである。
【００７３】
なお、上記制御プログラムは、例えば、Python、ActionScript、JavaScript（登録商標）などのスクリプト言語、Objective-C、Java（登録商標）などのオブジェクト指向プログラミング言語、HTML5などのマークアップ言語などを用いて実装できる。
【００７４】
〔付記事項１〕
本発明は上述したそれぞれの実施の形態に限定されるものではなく、請求項に示した範囲で種々の変更が可能であり、異なる実施の形態にそれぞれ開示された技術的手段を適宜組み合わせて得られる実施の形態についても、本発明の技術的範囲に含まれる。さらに、各実施の形態にそれぞれ開示された技術的手段を組み合わせることにより、新しい技術的特徴を形成できる。
【００７５】
また、本発明の一態様に係るデータ分析装置において、要素評価部は、データ要素と当該データ要素を含む既判断データに対して医師が判断した結果との依存関係を表す伝達情報量を、所定の基準の１つとして、当該データ要素を評価することができる。
【００７６】
〔付記事項２〕
本発明の一態様に係るデータ分析装置は、データ、患者情報、アクセス履歴情報を含むデジタル情報を取得し、患者情報から特定の患者を指定し、指定された特定の患者に関するアクセス履歴情報に基づいて、特定の患者がアクセスしたデータのみを抽出し、抽出されたデータに含まれる所定のファイルが、所定の症状に関連するものであるか否かを示す付帯情報を設定し、付帯情報に基づいて、所定の症状に関連する所定のファイルを出力する。
【００７７】
本発明の一態様に係るデータ分析装置は、データおよび患者情報を含むデジタル情報を取得し、患者情報に含まれる患者のうちいずれの患者に関連するものであるかを示す患者特定情報を設定し、患者を指定し、指定された患者に対応する患者特定情報が設定された所定のファイルを検索し、検索された所定のファイルが、所定の症状に関連するものであるか否かを示す付帯情報を設定し、付帯情報に基づいて、所定の症状に関連する所定のファイルを出力する。
【００７８】
本発明の一態様に係るデータ分析装置は、データ要素データベースに、（１ａ）分別符号Ａ、（１ｂ）分別符号Ａが付与されたデータに含まれるデータ要素、（１ｃ）分別符号Ａとデータ要素との対応関係を示すデータ要素対応情報が保存されており、関連データ要素データベースに、（２ａ）分別符号Ｂ、（２ｂ）分別符号Ｂが付与されたデータにおいて出現頻度が高い関連データ要素、（２ｃ）分別符号Ｂと関連データ要素との対応関係を示す関連データ要素対応情報が保存されており、上記（１ｃ）のデータ要素対応情報に基づいて、上記（１ｂ）のデータ要素を含むデータに対して分別符号Ａを付与し、分別符号Ａを付与しなかったデータから、上記（２ｂ）の関連データ要素を含むデータを抽出し、関連データ要素の評価値・数に基づいてスコアを算出し、そのスコアと上記（２ｃ）の関連データ要素対応情報に基づいて、スコアが一定値を超過したデータに分別符号Ｂを付与し、分別符号Ｂを付与しなかったデータに対して、医師から分別符号Ｃの付与を受け付ける。
【００７９】
本発明の一態様に係るデータ分析装置は、データに対して所定の症状との関連性を示す分別符号を付与するために、医師から分別符号の入力を受け付け、データを分別符号ごとに分別し、分別されたデータにおいて共通して出現するデータ要素を解析・選定し、選定されたデータ要素をデータから探索し、探索した結果と、データ要素を解析した結果とを用いて、分別符号とデータとの関連性を示すスコアを算出し、算出したスコアに基づいて、データに分別符号を付与する。
【００８０】
本発明の一態様に係るデータ分析装置は、医師が所定の症状に関連するか否かを判断するためのデータ要素をデータベースに登録し、データベースに登録されたデータ要素をデータから検索し、検索されたデータ要素を含むセンテンスを、データから抽出し、抽出されたセンテンスから抽出される特徴量により、所定の症状との関連度合いを示すスコアを算出し、スコアに応じてセンテンスの強調の程度を変化させる。
【００８１】
本発明の一態様に係るデータ分析装置は、医師が行った所定の症状との関連性判断の結果、または関連性判断の進捗速度を実績情報として記録し、結果または進捗速度に関する予測情報を生成し、実績情報および予測情報を比較し、比較結果に基づいて、医師の関連性判断に対する評価を呈示するアイコンを生成する。
【００８２】
本発明の一態様に係るデータ分析装置は、データと所定の症状との関連性を示す結果情報について、医師から入力を受け付け、データに共通して出現するデータ要素の特徴から、そのデータ要素の評価値を結果情報ごとに算出し、評価値に基づいてデータ要素を選定し、選定されたデータ要素とその評価値とから、データのスコアを算出し、スコアに基づいて再現率を算出する。
【００８３】
本発明の一態様に係るデータ分析装置は、データを医師に対して表示し、レビューの対象データに対して、医師が所定の症状に関連するか否かの判断に基づいて付与した識別情報（タグ）を受け付け、タグを受け付けた対象データの特徴量と、データの特徴量とを比較し、比較結果に基づいて、所定のタグに対応するデータのスコアを更新し、更新されたスコアに基づいて、表示されるデータの表示順番を制御する。
【００８４】
本発明の一態様に係るデータ分析装置は、ソースコードが更新された際には、更新されたソースコードを記録し、記録されたソースコードから実行可能ファイルを作成し、実行可能ファイルを検証するために実行し、実行した検証結果を送信し、検証結果の配信をサーバが受け付ける。
【００８５】
本発明の一態様に係るデータ分析装置は、医師が所定の症状との関連性について判断するデータと、データを分類するための分類条件を医師に選択させるための分類ボタンとを表示し、医師が選択した分類ボタンに関する情報を選択情報として受け付け、選択情報に基づいてデータを分析した結果によってデータを分類し、分類した結果に基づいてデータを表示する。
【００８６】
本発明の一態様に係るデータ分析装置は、音声・画像データの付帯情報をそれぞれ確認し、付帯情報に基づいて音声・画像データを分類し、分類した音声・画像データの付帯情報に含まれる要素を抽出し、抽出した要素に基づいて類似度を解析し、類似度に基づいて統合して解析する。
【００８７】
本発明の一態様に係るデータ分析装置は、パスワードで保護されたパスワード付ファイルを抽出し、パスワードの候補となる候補単語が登録された辞書ファイルを用いて、パスワード付ファイルに対して候補単語を入力し、パスワード解除済ファイルに対して、医師が行った所定の症状との関連性の判断結果を受け付ける。
【００８８】
本発明の一態様に係るデータ分析装置は、バイナリ形式の検索対象ファイルのデータを、複数のブロックに分割し、ブロックのデータを、バイナリ形式の検索先ファイルから検索し、検索された結果を出力する。
【００８９】
本発明の一態様に係るデータ分析装置は、調査対象となる対象デジタル情報を選択し、特定事項と関連性を有する複数の単語の組み合せを格納し、選択された対象デジタル情報の中に、格納されている複数の単語の組み合せが含まれているか否かを検索し、含まれている場合、形態素解析の結果に基づいて、対象デジタル情報の特定事項との関連性を判断し、判断結果を対象デジタル情報に対応づける。
【００９０】
本発明の一態様に係るデータ分析装置は、画像情報・音声情報から画像群・音声群を抽出し、画像群・音声群に分別符号を付与するために、医師から分別符号の入力を受け付け、画像群・音声群を分別符号ごとに分別し、分別された画像群・音声群において共通して出現するデータ要素を解析・選定し、選定したデータ要素を、画像情報・音声情報から探索し、探索した結果とデータ要素を解析した結果とを用いて、スコアを算出し、算出したスコアに基づいて、画像情報・音声情報に分別符号を付与し、スコアの算出結果および分別結果を画面に表示し、再現率と規格化順位との関係に基づいて、再確認に必要な画像数・音声数を算出する。
【００９１】
本発明の一態様に係るデータ分析装置は、データ要素データベースに、（１ａ）分別符号Ａ、（１ｂ）分別符号Ａが付与されたデータに含まれるデータ要素、（１ｃ）分別符号Ａとデータ要素との対応関係を示すデータ要素対応情報が保存されており、関連データ要素データベースに、（２ａ）分別符号Ｂ、（２ｂ）分別符号Ｂが付与されたデータにおいて出現頻度が高い関連データ要素、（２ｃ）分別符号Ｂと関連データ要素との対応関係を示す関連データ要素対応情報が保存されており、上記（１ｃ）のデータ要素対応情報に基づいて、上記（１ｂ）のデータ要素を含むデータに対して分別符号Ａを付与し、分別符号Ａを付与しなかったデータから、上記（２ｂ）の関連データ要素を含むデータを抽出し、関連データ要素の評価値・数に基づいてスコアを算出し、そのスコアと上記（２ｃ）の関連データ要素対応情報に基づいて、スコアが一定値を超過したデータに分別符号Ｂを付与し、分別符号Ｂを付与しなかったデータに対して、医師から分別符号Ｃの付与を受け付け、分別符号Ｃを付与されたデータを解析し、解析した結果に基づいて、分別符号が付与されていないデータに対して分別符号Ｄを付与する。
【００９２】
本発明の一態様に係るデータ分析装置は、所定の症状との関連性を示すスコアをデータごとに算出する。算出したスコアに基づいて所定の順序でデータを抽出し、抽出されたデータに対して、医師が所定の症状との関連性に基づいて付与した分別符号を受け付け、分別符号に基づいて、抽出されたデータを分別符号ごとに分別し、分別されたデータにおいて、共通して出現するデータ要素を解析・選定し、選定したデータ要素をデータから探索し、探索結果と解析結果とを用いて、スコアをデータごとに再度算出する。
【００９３】
本発明の一態様に係るデータ分析装置は、調査基礎データベースに、所定の症状に関連する情報が格納されており、所定の症状のカテゴリの入力を受け付け、受け付けたカテゴリに基づいて、調査の対象とする調査カテゴリを判定し、調査基礎データベースから必要な情報の種類を抽出する。
【００９４】
本発明の一態様に係るデータ分析装置は、特定の行動を行った行動主体のネットワーク上のメッセージファイルの送受信履歴に基づいて作成された行動発生モデルを格納し、主体のネットワーク上のメッセージファイルの送受信履歴に基づいて、主体のプロファイル情報を作成し、プロファイル情報と行動発生モデルとの適合性を示すスコアを算出し、スコアに基づいて、特定の行動が発生する可能性を判定する。
【００９５】
本発明の一態様に係るデータ分析装置は、所定の症状に関して、案件ごとの分別作業結果を含む案件調査結果を収集し、所定の症状に関して調査するための調査モデルパラメータを登録し、新たな調査案件の調査内容が入力されると、登録された調査モデルパラメータを検索して、入力情報に関連した調査モデルパラメータを抽出し、抽出した調査モデルパラメータを用いて調査モデルの出力を行い、調査モデル出力結果から新たな調査案件の調査を実施するための事前情報を構成する。
【００９６】
本発明の一態様に係るデータ分析装置は、患者に関する患者情報を取得し、患者情報に基づいて、一定時間ごとに、更新されたデジタル情報を取得し、取得されたデジタル情報に関する、記録先情報、ファイル名、メタデータに基づいて、取得されたデジタル情報を構成する複数のファイルを、所定の保存場所に整理し、整理された複数のファイルの状況を、デジタル情報にアクセスした患者の状況が把握できるよう可視化した状況分布を作成する。
【００９７】
本発明の一態様に係るデータ分析装置は、デジタル情報に関連付けられているメタデータを取得し、特定事項と関係を有する第１デジタル情報とメタデータとの関係に基づいて、重みづけパラメーターセットを更新し、重みづけパラメーターセットを用いて、形態素とデジタル情報との関連性を更新する。
【００９８】
本発明の一態様に係るデータ分析装置は、対象データに対して手動で付与された分別符号を受け付け、対象データの関連性スコアを計算し、関連性スコアに基づいて、分別符号の正誤を判断し、正誤判断の結果に基づいて、対象データに付与すべき分別符号を決定する。
【００９９】
本発明の一態様に係るデータ分析装置は、所定の症状が属するカテゴリの入力を受け付け、受け付けたカテゴリに基づいて調査を行い、調査の結果を報告するための報告書を作成し、調査基礎データベースに、所定の症状に関連する情報を格納し、受け付けたカテゴリに基づいて、調査の対象とする調査カテゴリを判定し、必要な情報の種類を調査基礎データベースから抽出し、抽出した情報の種類を医師に提示し、提示された情報の種類に対応した、分別符号の付与に利用されるデータ要素の入力を、医師から受け付け、データに対して自動で分別符号を付与する。
【０１００】
本発明の一態様に係るデータ分析装置は、主体の公開情報を取得し、公開情報を分析し、主体の外的要素を出力し、特定の行動を行った行動主体の行動外的要素に基づいた行動発生モデルを格納し、主体の外的要素から行動発生モデルに適合する行動要因を抽出して格納し、主体の内部情報を取得し、内部情報を分析し、主体の内的要素を出力し、内的要素と行動要因との類似性に基づいて、解析対象を自動で特定する。
【０１０１】
本発明の一態様に係るデータ分析装置は、デジタル情報と特定事項との関連性を示す関連性情報を、医師から取得し、デジタル情報と特定事項との関連に応じて決定される関連性スコアを、デジタル情報ごとに算出し、関連性スコアの所定の範囲ごとに、各範囲に含まれる関連性スコアを有するデジタル情報の総数に対して、その範囲に含まれるデジタル情報に付与された関連性情報の数の比率を算出し、各範囲のそれぞれに対応づけられた複数の区画を、比率に基づいて色相、明度、または彩度を変化させて表示する。
【０１０２】
本発明の一態様に係るデータ分析装置は、データと分別符号との結びつきの強さを示すスコアを時系列的に算出し、算出されたスコアから、スコアの時系列的な変化を検出し、検出されたスコアの時系列的な変化を判定するに際し、所定の基準値を超えたスコアの変化した時期を判定した結果に基づいて、調査案件と抽出されたデータの関連度を調査判定する。
【０１０３】
本発明の一態様に係るデータ分析装置は、特定事項と関連性を有するものであって、共起表現を含む複数のデータ要素に対応づけられる重み付け情報を格納し、デジタル情報にスコアを対応づけ、スコアに基づいて、デジタル情報から標本となる標本デジタル情報を抽出し、抽出された標本デジタル情報を解析することで、重み付け情報を更新する。
【０１０４】
本発明の一態様に係るデータ分析装置は、複数のデータに含まれるそれぞれのデータを分類可能な指標であるカテゴリを選択し、スコアをカテゴリごとに算出する。
【０１０５】
本発明の一態様に係るデータ分析装置は、所定の症状の原因となる、所定の行動主体による所定の行為を、当該所定の行為の進展に応じて分類するフェーズを、スコアに基づいて特定し、フェーズの時間的な遷移に基づいて、特定されたフェーズの変化を推定する。
【０１０６】
本発明の一態様に係るデータ分析装置は、所定の症状の原因となる所定の行為が生じる生成過程モデルを、当該所定の行為の進展に応じて分類するフェーズごとに格納し、所定の症状に関連する情報を、カテゴリおよび生成過程モデルごとに格納し、フェーズの時間的な序列を示す時系列情報を格納し、これらの情報に基づいて画像情報・音声情報を分析し、所定の行為が生じる可能性を示す指標を分析した結果から算出する。
【０１０７】
本発明の一態様に係るデータ分析装置は、所定の症状の原因となる所定の行為が生じる生成過程モデルを、当該所定の行為の進展に応じて分類するフェーズごとに格納し、所定の症状に関連する情報を、カテゴリおよび生成過程モデルごとに格納し、フェーズの時間的な序列を示す時系列情報を格納し、所定の症状に関連する複数の人物の関係性を格納し、これらの情報に基づいてデータを分析し、現在のフェーズを特定する。
【０１０８】
本発明の一態様に係るデータ分析装置は、動作を表す動詞が音声に含まれる場合、動作の対象を表す目的語を特定し、動詞および目的語を含む音声の属性を示すメタデータと、その動詞および目的語とを関連付け、関連付けに基づいて、音声と症状との関係性を評価し、症状に関連する複数の人物の関係性を表示する。
【０１０９】
本発明の一態様に係るデータ分析装置は、複数の端末間で送受信され、複数の人物のそれぞれに対応づけられる通信データを取得し、取得した通信データの内容を分析し、分析結果を用いて、通信データの内容と所定の症状との関係性を評価し、評価結果に基づいて、所定の症状に関連する複数の人物の関係性を表示する。
【０１１０】
本発明の一態様に係るデータ分析装置は、データ群に含まれるデータが、データ群と所定の症状との関連度を示す分別符号と結びつく強さを示すスコアを算出し、算出されたスコアに応じて、そのスコアを医師に報告し、所定の症状の調査種類に応じて、調査レポートを出力する。
【０１１１】
本発明の一態様に係るデータ分析装置は、機密度に対応付けて機密情報を記憶するデータベースを照会し、ネットワークの外部に対するアクセスによって機密情報が漏洩する危険性を示す漏洩度を算出し、機密度または漏洩度が、機密情報が漏洩する基準を満たすか否かを判定し、満たすと判定された場合、漏洩の主体を特定する。
【０１１２】
本発明の一態様に係るデータ分析装置は、ある期間に含まれるビヘイビアの系列Ａと、直近の期間に含まれるビヘイビアの系列Ｂとを比較することによって、系列Ａと系列Ｂとの差異を抽出し、抽出された差異が、機密情報が漏洩する危険性が高まったことを示唆する基準に達したか否かを判定し、達したと判定された場合、管理者に危険性を報知する。
【０１１３】
本発明の一態様に係るデータ分析装置は、データ（例えば、問診時の音声）に含まれるセンテンスに所定のデータ要素が含まれるか否かを示すデータ要素ベクトルを、センテンスごとに生成し、データ要素ベクトルを、所定のデータ要素と他のデータ要素との相関を示す相関マトリクスにそれぞれ乗じることによって、センテンスごとに相関ベクトルを得、全ての相関ベクトルについて合算した値に基づいて、スコアを算出する。
【０１１４】
本発明の一態様に係るデータ分析装置は、所定の症状と関係するか否かが医師によって分別された分別データに含まれるデータ要素の重みづけを学習し、所定の症状と関係するか否かが医師によって未だ分別されていない未分別データから、分別データに含まれるデータ要素を探索し、探索されたデータ要素と学習されたデータ要素の重みづけを用いて、未分別データと分別符号との結びつきの強さを評価したスコアを算出する。
【符号の説明】
【０１１５】
１：データ、１ａ：データ、１ｂ：データ、５ａ：レビュー結果（医師によって判断された結果）、５ｄ：スコア、５ｅ：スコア、６：適合閾値（所定の閾値）、１１：データ取得部、１２：既判断データ取得部、１３：要素評価部、１４：スコア算出部、１５：条件判定部（超過判定部）、１６：関係性評価部、１７：関係付与部、１８：データ報知部、１９：閾値特定部、１００：データ分析装置
【図１】
2016006042.tif 000006
【図２】
2016006042.tif 000007
【図３】
2016006042.tif 000008
【国際調査報告】
2016006042.tif 000009
2016006042.tif 000010
2016006042.tif 000011
2016006042.tif 000012